(57)【要約】【課題】本発明は保温・保冷用のゲル材を温める際に破損や破裂等の危険が予め防止出来ると共に手間を掛けずに使用適温に温めて使用することができ、ゲル材を冷やす際にも使用適温に冷やして使用することが簡単に出来る身体用保温・保冷具を提供することを目的とする。【解決手段】内部にゲル材を密閉包装した外装袋１に、保温と保冷の両方の使用適温が確認できる確認手段３を具備した構造とする。また確認手段３として、外装袋１の表面に、内部温度４０℃〜８０℃で色が変わる示温インクで図形或いは文字を印刷した保温用確認部31と、内部温度−２５℃〜＋１５℃で色が変わる示温インクで図形或いは文字を印刷した保冷用確認部32とから成すと良いが、前記ゲル材に、所定温度で色が変わる保温用示温素材と、所定温度で色が変わる保冷用示温素材とを混入させた確認手段としても良い。更に外装袋１を結露防止用の布製袋４で包んだものとしても良い。【選択図】図１
2010075469.tif 000002
【特許請求の範囲】
【請求項１】
外装袋（１）の内部に保温・保冷用のゲル材（２）を密閉包装したものであって、少なくとも、前記外装袋（１）に保温と保冷の両方の使用適温が確認できる確認手段（３）を具備したことを特徴とする身体用保温・保冷具。
【請求項２】
前記確認手段（３）が、前記外装袋（１）の表面に、内部温度４０℃〜８０℃で色が変わる示温インクで適宜な図形或いは文字を印刷した保温用確認部（31）と、内部温度−２５℃〜＋１５℃で色が変わる示温インクで適宜な図形或いは文字を印刷した保冷用確認部（32）とから成された請求項１記載の身体用保温・保冷具。
【請求項３】
外装袋（１）の内部に保温・保冷用のゲル材（２）を密閉包装したものであって、少なくとも、前記ゲル材（２）に、４０℃〜８０℃で色が変わる保温用示温素材（3a）と、−２５℃〜＋１５℃で色が変わる保冷用示温素材（3b）とを混入させて保温と保冷の両方の使用適温が確認できる確認手段（３）を具備したことを特徴とする身体用保温・保冷具。
【請求項４】
前記外装袋（１）が結露防止用の布製袋（４）で包まれた請求項１、２又は３記載の身体用保温・保冷具。
【発明の詳細な説明】
【技術分野】
【０００１】
本発明は身体を温めたり、冷やしたりするための身体用保温・保冷具に関する。
【背景技術】
【０００２】
従来、身体用保温具として、赤色の長方形の外装袋の内部に保温用のゲル材を密閉包装したものが本発明者によって製造され且つ多く販売されている。この身体用保温具は、電子レンジや湯煎で前記ゲル材を温めてから使用すると、心地よい温かさが１〜２時間続くものであった。この用途として肩こり,腰痛,関節炎など温めると気持ち良く、且つ、湯たんぽ,あんか,足温器などの代りにも使用されている。一方、身体用保冷具として、青色の長方形の外装袋の内部に保冷用のゲル材を密閉包装したものが本発明者によって製造され且つ多く販売されている。この身体用保冷具は、冷凍庫で冷結させても固くならないソフトタイプが主で、柔らかいので身体にフィットし、心地よい使用感が得られる。この用途として筋肉痛,疲れ目など冷やすと気持ち良く、且つ、うちみ,ねんざ,歯痛などの時に冷やすと便利であり、急な発熱に、氷のうや氷枕の代替品として使用すると良く、暑くて寝苦しい時に氷枕として使用される場合もあった。
【０００３】
しかしながら、前記身体用保温具は、電子レンジでゲル材を温める際に、電子レンジで必要以上に加温されると、破損や破裂等の危険があるため、時間を計りながら、且つ様子を見ながら温めていた。また湯煎でゲル材を温める場合には、加温時間に注意を払うと共に、加温中はそばから離れずに居なければならなかった。一方、身体用保冷具は保冷専用であるので、冬場では余り使用されていないのが現状であった。
【０００４】
近年に於いて、身体用保温・保冷具として、身体の一部を温めたり、或いは冷やしたりするための、体の局所用保温・保冷具が特開２００８−８６５４０で提案されている。これは複数の蓄熱冷材（ゲル材）を備えた蓄熱冷材シート及び蓄熱冷材シートを収納する帯状のカバーとから成るものであって、カバーはその内部に蓄熱冷材シートを収納するための区画を備え、蓄熱冷材シートの長さは区画内で移動可能なように区画の長さも短く形成され、蓄熱冷材シートの両端部には蓄熱冷材シートを区画内で移動させるための引き手が設けられ、引き手はカバーに設けられた開口部を通ってそれぞれ外側に引き出されており、引き手によって蓄熱冷材シートは区画内で長手方向に移動可能とするものであった。又、この目的は、蓄熱冷材シートをカバーの区画内で移動させることにより、新しい蓄熱冷材と交換することなく長時間の保温・保冷効果を維持させるためのものであった。
【０００５】
しかしながら、特開２００８−８６５４０は電子レンジや湯煎してゲル材を温める際に、電子レンジで必要以上に加温すると、破損や破裂等の危険があるため、時間を見ながら、且つ様子を見ながら温めなければならず、手間が掛って面倒であった。また湯煎する場合には、加温時間に注意を払うと共に、加温中はそばから離れずに居なければならず、手間が掛って面倒であった。
【特許文献１】特開２００８−８６５４０号公報
【発明の開示】
【発明が解決しようとする課題】
【０００６】
本発明は保温・保冷用のゲル材を温める際に破損や破裂等の危険が予め防止出来ると共に手間を掛けずに使用適温に温めて使用することができ、ゲル材を冷やす際にも使用適温に冷やして使用することが簡単にでき、且つ、保温効果或いは保冷効果の有無が簡単に確認出来る身体用保温・保冷具を提供することを目的とする。
【課題を解決するための手段】
【０００７】
本発明は上記現状に鑑み成されたものであり、つまり、内部に保温・保冷用のゲル材を密閉包装した外装袋に、保温と保冷の両方の使用適温が確認できる確認手段を具備した構造とする。また確認手段として、外装袋の表面に、内部温度４０℃〜８０℃で色が変わる示温インクで適宜な図形或いは文字を印刷した保温用確認部と、内部温度−２５℃〜＋１５℃で色が変わる示温インクで適宜な図形或いは文字を印刷した保冷用確認部とから成すと良いが、前記ゲル材に、４０℃〜８０℃で色が変わる保温用示温素材と、−２５℃〜＋１５℃で色が変わる保冷用示温素材とを混入させた確認手段としても良い。更に外装袋を結露防止用の布製袋で包んだものとしても良い。尚、本発明で言う「ゲル材」とは、吸水してゲル化した状態のものを指し、また本発明で言う「４０℃〜８０℃で色が変わる」及び「−２５℃〜＋１５℃で色が変わる」とは、その範囲の設定温度に達した時に色が変わる意味を指すものとする。つまり、示温インク（素材）の温度設定は５℃間隔で選択が出来るものが入手可能であり、設定温度を前記範囲から保温用と保冷用との２つを選択して使用するのである。
【発明の効果】
【０００８】
請求項１のように内部に保温・保冷用のゲル材（２）を密閉包装した外装袋（１）に、保温と保冷の両方の使用適温が確認できる確認手段（３）を具備することにより、ゲル材（２）を温める際に破損や破裂等の危険が予め防止出来ると共に手間を掛けずに使用適温に温めて使用することができ、ゲル材（２）を冷やす際にも使用適温に冷やして使用することが簡単に出来るものとなり、且つ、保温・保冷効果の有無がひと目で確認できるものとなる。
【０００９】
請求項２のように確認手段（３）として、外装袋（１）の表面に、内部温度４０℃〜８０℃で色が変わる示温インクで適宜な図形或いは文字を印刷した保温用確認部（31）と、内部温度−２５℃〜＋１５℃で色が変わる示温インクで適宜な図形或いは文字を印刷した保冷用確認部（32）を設けることにより、使用適温の確認が目視で行えるものとなる。このため、ゲル材（２）を温める際、安全に行え且つ手間が掛からないものとなると共に、保温・保冷効果の確認が目視で容易に行えるものとなる。
【００１０】
請求項３に示すように外装袋（１）の内部に密閉包装された保温・保冷用のゲル材（２）に、４０℃〜８０℃で色が変わる保温用示温素材（3a）と、−２５℃〜＋１５℃で色が変わる保冷用示温素材（3b）とを混入させて保温と保冷の両方の使用適温が確認できる確認手段（３）を具備することにより、請求項１と同様な効果が得られると共に、示温の変化が内部温度を直接反映させたものとなるため、設定温度がより正確なものとなる。更に内部の変化する色と同じ色で表面に文字や図形を描けば、内部の色が変わることにより、表面の文字や図形が消えるため、別のデザインに見せることができるものとなる。又、使用適温状態がひと目で確認ができるものとなる。
【００１１】
請求項４に示すように外装袋（１）に結露防止用の布製袋（４）を具備しそれで包むことにより、保冷効果が発揮されている間、周囲を濡らす恐れがないものとなると共に本発明品を直接に身体に当てても、布製袋（４）によって冷え過ぎず、痛くなる恐れが殆どなくなる。
【発明を実施するための最良の形態】
【００１２】
図１、図２は本発明の実施形態を示す図であり、この図に基づいて説明する。（１）は外装フィルムで作られた長方形の外装袋であり、該外装袋（１）は一般に使用されているものと同じ素材のものを用いれば良い。また前記外装袋（１）の形状としては長方形以外でも良く、例えば、三角形，正方形，アイマスクとしての形状などとしても良い。（２）は外装袋（１）の内部に密閉包装された保温・保冷用のゲル材であり、該ゲル材（２）としては、アクリル酸系の化合物，天然増粘剤，カルボキシメチルセルロースナトリウム塩（ＣＭＣ）等によるセルロース系の水溶性高分子物質を主成分とした保冷材用の一般的な吸水性樹脂を用いれば良く、蓄熱量の大きなものを用いるのが好ましい。また不凍性ゲルを柔軟な外皮で包んだソフトタイプのものを使用すると、身体にフィットし、心地よい使用感が得られるものとなる。
【００１３】
（３）は外装袋（１）に描示した保温と保冷の両方の使用適温が確認できる確認手段であり、該確認手段（３）としては、外装袋（１）の表面に、内部温度４０℃〜８０℃で色が変わる示温インクで適宜な図形或いは文字を印刷した保温用確認部（31）と、内部温度−２５℃〜＋１５℃で色が変わる示温インクで適宜な図形或いは文字を印刷した保冷用確認部（32）とから成されている（図３、図４参照）。また保温用確認部（31）は赤色に変わり、保冷用確認部（32）は青色に変わるようにしておくのが好ましい。この時の保温用確認部（31）と保冷用確認部（32）に用いる示温インクは、内部温度よりも５℃低い温度で変わる種類のものを用いると良い。これは電子レンジで加熱する際に内部から先に温められるためであり、冷凍庫に入れる際には外部から冷やされるためである。尚、前記保温用確認部（31）と保冷用確認部（32）は図形だけ或いは文字だけでも良く、且つ、前記赤色と青色に限定されるものではなく、他の色に変わるものとしても良い。一方、他の確認手段（３）としては、４０℃〜８０℃で色が変わる保温用示温素材（3a）と、−２５℃〜＋１５℃で色が変わる保冷用示温素材（3b）とを、ゲル材（２）に混入させ（図５参照）、このゲル材（２）全体の色が変化するようにしたものとしても良い。この保温用示温素材（3a）は赤色に変わり、保温用示温素材（3a）は青色に変わるようにしておくのが好ましい。この時に使用する外装袋（１）としては透明又は半透明のものを用いると良い。尚、前記赤色と青色に限定されるものではなく、他の色に変わるものとしても良い。又、前記示温素材（3a）,(3b）の設定温度は内部温度とのズレがないため、そのままの温度設定を決めれば良い。（４）は外装袋（１）の結露防止用として具備された布製袋であり、該布製袋（４）は布製に限定されるものではなく、不織布で製作されたものも含むものとする。
【実施例１】
【００１４】
次に本発明の実施例について説明する。先ず図１に示す長方形の外装袋（１）の大きさとしては、縦１１センチ、横２６センチ、厚さ約１センチであり、その内部には保温・保冷用のゲル材（２）を密閉包装させておく。又、前記ゲル材（２）としては凍結させても固くならないソフトタイプのものを使用する。そして保温用確認部（31）には、６０℃で色が赤色に変わる示温インクで文字と太陽の図形を印刷しておく。また保冷用確認部（32）には、−５℃で色が青色に変わる示温インクで文字と雪だるまの図形を印刷しておく。この時に使用する示温インクとしては、例えば、記憶素子研究所，アセイ工業株式会社，久保井インキ株式会社，株式会社ＫＮラボラトリーズなどのもので、且つ、本発明の使用温度範囲に入っているものを用いると良い。尚、前記外装袋（１）の大きさは上記の寸法に限定されるものではない。また前記保温用確認部（31）と保冷用確認部（32）の文字と図形又は色や設定温度は上記のものに限定されるものではない。
【００１５】
次に本発明品を保温用として使用する場合について説明する。先ず始めに本発明品を５００ワットの電子レンジに入れて１分３０秒間温める。すると、ゲル材（２）が温められて内部温度６５℃以上になっていれば、保温用確認部（31）の文字と太陽の図形が赤色に変わって図３のように浮かび上がるのである。この赤色が出ない場合には、２０秒前後更に温めれば良い。尚、前記保温用確認部（31）が赤色に変わった時には、表面温度は６０℃であるが、内部のゲル材（２）の実際の温度は６５℃以上に温められた状態となる。つまり、内部の方が５℃高くなる。この点を考慮して設定温度は決められている。
【００１６】
温められた本発明品を、肩,腰,関節部分などに当てると、心地よい温かさが１〜２時間続くものとなる。本発明品の他の用途としては、足に当てれば、湯たんぽ,あんか,足温器などの代りの役目を果すものとなる。この時、ゲル材（２）が６５℃（表面温度が６０℃）以下になると、保温用確認部（31）の赤色が消えるので、保温効果が失なわれた状態になり、本発明品を身体から離せば良い。必要に応じて再度温めて使用しても良い。尚、温められた本発明品が熱い時には、タオルなどを巻いて温度調節をしてから使用するのが好ましい。
【００１７】
一方、本発明品を保冷用として使用する場合について説明する。先ず始めに本発明品を冷凍庫に入れて約５時間冷やす。その後、ゲル材（２）が冷やされて内部温度０℃（表面温度−５℃）以下になっていれば、保冷用確認部（32）の文字と雪だるまの図形が青色に変わって図４のように浮かび上がるのである。この場合、本発明品を冷凍庫に入れ過ぎても、固くならずに柔らかい状態である。
【００１８】
冷やされた本発明品を結露防止用の布製袋（４）の中に入れてから使用する。先ず本発明品を、筋肉痛の箇所,疲れた目などに当てて冷やすと、柔らかいので身体の部位にフィットして心地よい使用感が得られるものとなる。また他の用途としては、うちみ,ねんざ,歯痛などの冷却材として用いると良い。更に急な発熱に対して、本発明品を氷のうや氷枕の代替品として使用し、或いは暑くて寝苦しい時に使用すると重宝なものとなる。本発明品を使用時に、ゲル材（２）が０℃（表面温度−５℃）以上になると、保冷用確認部（32）の赤色が消えるので、保冷効果が失われた状態になり、本発明品を身体から離せば良い。必要に応じて再度冷やして使用しても良い。尚、本発明品が冷え過ぎていると感じた時にはタオルを巻いて調整すると良い。
【図面の簡単な説明】
【００１９】
【図１】本発明の実施形態を示す斜視図である。
【図２】図１の拡大縦断面図である。
【図３】本実施形態の確認手段が保温状態を示す説明図である。
【図４】本実施形態の確認手段が保冷状態を示す説明図である。
【図５】別実施形態の確認手段の要部を示す説明図である。
【符号の説明】
【００２０】
１  外装袋
２  ゲル材
３  確認手段
31  保温用確認部
32  保冷用確認部
3a  保温用示温素材
3b  保冷用示温素材
４  布製袋
【図１】
2010075469.tif 000003
【図２】
2010075469.tif 000004
【図３】
2010075469.tif 000005
【図４】
2010075469.tif 000006
【図５】
2010075469.tif 000007